(57)【要約】【課題】ノンレールで支持された二枚連動式の門扉本体の開閉時における横ぶれを抑制しかつ円滑にスライドさせる為に、門扉本体のローラ機構が長期に亘って安定した性能を発揮すること。【解決手段】スライド用ローラ部３１と横ぶれ防止用ローラ部３３がボックス部３０の門扉スライド方向の前後に配設されており、門扉本体を第１扉と第２扉の二枚連動式に構成し、その第２扉に各ローラ部に対する個別のレールを設け、それぞれのレールに各ローラ部のローラを当接させて第２扉をスライド可能に支持するとともに、第２扉側面部のガイドレールに、第１扉側面部のガイドローラを支持させて第１扉が第2扉に対してスライド可能に設置されている。【選択図】図５
2006028847.tif 000002
【特許請求の範囲】
【請求項１】
地面に固定されるボックス部の内側に第１扉および第2扉が連係してスライド可能に支持される門扉本体から成るスライド式門扉装置であって、
前記ボックス部には上部および底部のそれぞれにスライド用ローラ部と横ぶれ防止用ローラ部が門扉スライド方向の前後に配設され、前記第２扉の下フレームの下面および上フレームの上面の各部にレールが配設され、該レールに前記ローラ部のローラを当接させて前記第２扉をスライド可能に支持するとともに、該第２扉の下フレームと上フレームの各側面部にガイドレールが配設され、前記各フレームに対向する第２扉の下フレームと上フレームの各側面部にガイドローラが取付けられ、該ガイドローラを前記ガイドレールに支持させて第１扉を第2扉に対してスライド可能に設けられていることを特徴とするスライド式門扉装置。
【発明の詳細な説明】
【技術分野】
【０００１】
本発明は、ノンレール型のスライド式門扉装置に関し、特に、工場，学校などの広い間口や競技場、公園、霊園、大型商業施設などの出入り口に適した収納スペースの少ないスライド式門扉装置に関する。
【背景技術】
【０００２】
ノンレール型のスライド式門扉装置は、設置場所の地面に固定されたボックス部の内側の天井部と底部にレールが装設され、このレールに案内されて門扉本体がスライドしてボックス部に対して出没するよう構成されている。この種の門扉装置としては、例えば引用文献１〜６に提案されている。また、設置スペースを小さくするよう工夫された門扉装置として、引用文献２には引き戸支持体の開口部側の縁部において上方連結部材及び下方連結部材を介して第２の引き戸が連結されており、第２の引き戸を構成する２枚のパネル部材の間に第１の引き戸が挿入可能であって、引き戸の開閉時には第１の引き戸及び第２の引き戸が連動機構により、同期して移動する構造、或いは引用文献４には地面に固定された引き戸支持体に、引き戸本体と折り曲げ体をヒンジ連結した引き戸をスライド可能に支持し、引き戻し時に引き戸がヒンジ連結手段を中心に引き戸本体の側面に重なるように折り畳まれる構造が提案されている。更にガイドローラ機構としては、例えば引用文献５や引用文献６にスライドボックス内の上部には高さ調整自在に上部ガイド部材を設け、一方スライドボックス内の底部には一対の軸受部材を設け、各軸受部材に断面山型の型材の斜面に複数のガイドローラを軸支すると共に、該型材の裏面中央に支軸を設けたローラ保持部材の支軸を係合保持し、門扉本体の開閉に際して生ずる門扉本体の上下動に追従してローラ保持部材が支軸を中心として上下方向に移動する構造が提案されている。
【特許文献１】特開２００４−２７７３８号公報
【特許文献２】特開２０００−２４０３５４号公報
【特許文献３】特開平１０−２６６７４４号公報
【特許文献４】特開平０６−３２３０７４号公報
【特許文献５】特開平０５−２９５９７５号公報
【特許文献６】登録実用新案第３０４５６０２号
【発明の開示】
【発明が解決しようとする課題】
【０００３】
本発明の目的は、ノンレールで支持された二枚連動式の門扉本体の開閉時における横ぶれを抑制しかつ円滑にスライドさせる為に、門扉本体のローラ機構が長期に亘って安定した性能を発揮するよう改良したスライド式門扉装置を提供することにある。
【課題を解決するための手段】
【０００４】
本発明は地面に固定されるボックス部の内側に第１扉および第2扉が連係してスライド可能に支持される門扉本体から成るスライド式門扉装置であって、
前記ボックス部には上部および底部のそれぞれにスライド用ローラ部と横ぶれ防止用ローラ部が門扉スライド方向の前後に配設され、前記第２扉の下フレームの下面および上フレームの上面の各部にレールが配設され、該レールに前記ローラ部のローラを当接させて前記第２扉をスライド可能に支持するとともに、該第２扉の下フレームと上フレームの各側面部にガイドレールが配設され、前記各フレームに対向する第２扉の下フレームと上フレームの各側面部にガイドローラが取付けられ、該ガイドローラを前記ガイドレールに支持させて第１扉を第2扉に対してスライド可能に設けられていることを特徴としている。
【発明の効果】
【０００５】
本発明によれば、門扉本体を二枚連動式に構成しているため、広い開口幅を開閉する門扉本体の収納幅（開口幅+ボックス部の幅）が少なくなり、収納スペースの少ない場所に設置可能となると共に、スライド用ローラ部と横ぶれ防止用ローラ部とからローラ機構により門扉本体が支持されているため、広い開口幅を開閉する二枚連動式の門扉本体を円滑かつ安定してスライドさせることができる。
【発明を実施するための最良の形態】
【０００６】
二枚連動式の門扉本体を長期に亘って円滑かつ安定してスライド可能に支持する為に、本発明はボックス部の内側上部および底部のそれぞれにスライド用ローラ部と横ぶれ防止用ローラ部から成るローラ機構を門扉スライド方向の前後に配設することで実現した。
【実施例１】
【０００７】
本実施例は敷地の出入口として比較的間口の広い敷地に設置されたものである。敷地外例えば道路側から望む出入口に対し、その中央から左側の端部には左側にスライド開閉する門扉装置を、右側の端部には右側にスライド開閉する門扉装置を、それぞれ配設されている。左側に開閉する門扉装置と右側に開閉する門扉装置は基本構造が同一なので、ここでは右側に開閉する門扉装置についてのみ説明する。
【０００８】
図１は本発明の1実施例である両開きスライド式門扉装置１（以下、門扉と称す）の平面図、図２は門扉の正面図、図３は門扉の側面図である。門扉１は道路側に配された第１扉１０と、建物などのある内側に配され、第1扉１０をスライド可能に支持する第２扉２０と、地面に固定され、第２扉２０をスライド可能に支持するボックス部３０とからなり、第１扉１０と第２扉２０は互いのスライド操作に連係される構造になっている。
【０００９】
各扉１０，２０には下フレーム１１，２１が地面に水平且つ平行に配置され、その下フレーム１１，２１には各扉の１／３部に垂直フレーム１３，２３が立設され、その頂上部に上フレーム１２，２２が設けられている。各扉の全面には上下フレーム間に複数の格子フレーム１４，２４が所定間隔に垂直に設けられている。
【００１０】
第１扉１０の上フレーム１２及び下フレーム１１の各側面部には下スライドレール１５と上スライドレール１６が設けられている。このスライドレール１５，１６に対向して、第２扉２０の上フレーム２２及び下フレーム２１の各側面部には第１扉１０を可動的に支持するための下ガイドローラ２５と上ガイドローラ２６が設けられている。第２扉２０の上フレーム２２の上面部及び下フレーム２１の下面部にはボックス部３０に対して第２扉２０を可動的に支持するためのＶ字断面に形成された下レール２７と上レール２８が設けられている。第１扉１０の下フレーム１１の先端には、図４に示す安定ローラ４０が設けられており、第１扉１０の開閉時に地面に安定ローラ４０が接地して第１扉１０を安定させる。安定ローラ４０の上方部に設けられた落棒４１は全開閉時の停止状態を保持するため、地面に設けた受け穴に落棒４１を差し入れる。
【００１１】
門扉１を支持するボックス部３０を詳しく説明する。図５はボックス部３０の構成を示す立断面図、図６は平断面図、図７は側断面図である。ボックス部３０には第２扉２０をスライド可能に支持するためのスライド用ローラ部３１（図中には矢印付き符号）と横ぶれ防止用ローラ部３３（図中には矢印付き符号）が配設されている。スライド用ローラ部３１は第２扉２０の下レール２７のスライド方向の前後を支持するために地上に対し垂直に設置されている。第２扉２０の閉時のスライド方向の前方には第一の下ローラ３１ａと第一の上ローラ３１ｂからなるスライド用ローラ部が配置されている。後方には第二の下ローラ３１ｃと第二の上ローラ３１ｄからなるスライド用ローラ部が配置されている。
【００１２】
図８は図５のＡ−Ａ方向から見たスライドローラ部３１を示し、図９はスライドローラの拡大図を示している。スライドローラはローラ軸をローラ支持プレート３２ａに回転自在に取り付けられ、ローラ支持プレート３２ａはローラ支持板３２に直角に固定されている。ローラ支持板３２は第２扉２０の下レール２７と上レール２８に対向したボックス部３０のベースプレート３５及びアッパープレート３６に取り付けられ、調節機構により高さ調節可能に設けられている。スライドローラの内側はＶ字形の凹斜面が形成されており、レールの逆Ｖ字形の凸斜面に当接される。
【００１３】
図１０は図５のスライドローラ部３１の拡大図である。ベースプレート３５には扉のスライド方向に直交する軸が固定されており、この軸にローラ支持板３２の一端が回動可能に軸支されている。ローラ支持板３２にはローラ支持プレート３２ａが直角に固定され、スライドローラが回転自在に取り付けられている。ローラ支持板３２の他端にはスライドローラの高さ調節機構が設けられている。調節機構はローラ支持板３２に設けられた貫通穴にアジャストボルト３８を通し、ボルト・ナットの締め付けの位置を上下に適宜調整することによりローラ支持板３２の高さ調整を行い、門扉開閉時の動作をよりスムーズな位置を得ることができる。
【００１４】
図１１は図５のＢ−Ｂ方向から見た横ぶれ防止用ローラ部３３を示すもの、図１２は横ぶれ防止ローラの拡大図を示すもので、横ぶれ防止ローラはローラ支持プレート３４ａに回転自在に取り付けられ、ローラ支持プレート３４ａはローラ支持台３４に傾斜して固定されている。ローラ支持板３４は第２扉２０の下レール２７と上レール２８に対向したボックス部３０のベースプレート３５及びアッパープレート３６に取り付けられ、前記のスライドローラ部３１と同様の調節機構により高さ調節可能に設けられている。ローラ支持プレート３４ａの斜面には下レール２７と上レール２８の斜面に当接するよう左右一対の横ぶれ防止ローラが取り付けられている。横ぶれ防止ローラは第一の下ローラ３１ａと第一の上ローラ３１ｂに近い位置に第一の横ぶれ防止下ローラ３３ａと第一の横ぶれ防止上ローラ３３ｂが設けられている。更に、横ぶれ防止ローラは第二の下ローラ３１ｃと第二の上ローラ３１ｄに近い位置に第二の横ぶれ防止下ローラ３３ｃと第二の横ぶれ防止上ローラ３３ｄが設けられている。
【００１５】
第１扉１０の下フレーム１１と上フレーム１２の各側面部にはスライド下レール１５とスライド上レール１６から成るスライドレールが固定されている。スライドレールは、図８に示すようにスライドレール内側の上部と下部にＶ字断面を持つレール１７，１８が設けられている。レール１７，１８は第２扉２０の上下フレーム２１，２２の側面部に設けられたガイドローラ２５，２６を挟み込むように支持される。これにより、第１扉１０は第２扉２０に対し確実に支持され且つスライド方向以外の動きを規制しながら案内され、安定した可動が行われる。
【００１６】
図２に示す門扉全閉時の第１扉１０の可動を制限するために第２扉２０の先端から全長の１／３程の位置に設けられた第２扉側閉時ストッパ５２（図示省略）に突き当たる閉時ストッパが第１扉１０の後端部に閉時ストッパ５０が設けられている。同じく門扉全閉時の第２扉２０の可動を制限するために後端の垂直フレーム２３に閉時ストッパ５３と、門扉全開時の可動を制限するために下フレーム２２先端部下面に開時ストッパ５４とが設けられている。また第１扉１０の開時ストッパ５１を受け止めるためのストッパ支持板３９が設けられている。
【００１７】
図１３は図６に示すＣ矢視によるボックス部３０の側面図を示すもので、下部に設けられた第１扉１０の開時ストッパ５１を受け止めるストッパ支持板３９ａと、第２扉の開時ストッパ５４を受け止めるストッパ支持板３９ｂが取り付けられている。
【００１８】
次に本実施例の作用を説明する。門扉１の全閉動作は、先ず、全開状態を安全且つ確実に維持するため第１扉１０の先端部の垂直フレーム１３に設けられた落棒４１を受け穴より上方へ引き上げ、静止状態を解除する。
【００１９】
第１扉１０の取手４２に全閉方向へのスライド力を加え、第１扉１０のスライドレール１５，１６内を第２扉２０のガイドローラ２５，２６がレール１７，１８に支持され、同時にスライド方向以外の動きを横ぶれ防止用ローラ部により規制され、更に安定ローラ４０に前部を支えられながら安定且つ確実に全閉方向へ移動させる。
【００２０】
続いて第１扉１０の後端部の閉時ストッパ５０が、第２扉２０の先端部のストッパ支持板５５に当接し、第２扉２０に第１扉１０のスライド力が伝わることにより第２扉２０が連携し移動を開始する。このとき、各ストッパに設けられたクッションゴムにより連携時の衝撃及び衝撃音が和らげられる。
【００２１】
第２扉２０はボックス部３０のスライドローラ３１ａ，３１ｂ，３１ｃ，３１ｄ及び横ぶれ防止用ローラ３３ａ，３３ｂ，３３ｃ，３４ｄに、第２扉２０の上フレーム２１の上レール２７及び下フレーム２２の下レール２８が垂直方向の支持及び横方向のブレを抑制することにより安定且つ確実に全閉方向へ可動させる。
【００２２】
続いて第２扉２０の閉時ストッパ５３が、ボックス部３０のストッパ支持板３９ｂに突き当たり、門扉１の全閉動作を停止させた後、落し棒４１を押し下げ地面に設けた受け穴に固定することにより、全閉動作を完了する。
【００２３】
左右の門扉の両方を完全に閉めた全閉動作終了時には第１扉１０の先端部の垂直フレーム１３に互いに凹凸に設けられた飲み込み案内４３が噛み合う事によって、左右の第１扉１０の先端面を揃え停止する。
【００２４】
次に門扉１の全開動作を説明する。先ず、第１扉１０を取手４２により全開方向へスライド力を加えて移動させる。続いて第１扉１０のストッパ５１が、第２扉２０のストッパ支持板５５に突き当たることにより、第１扉１０のスライド力が伝わることによって第２扉２０は連携し移動を開始する。第１扉１０と第２扉２０は互いの先端面をほぼ揃えた状態で第２扉２０の開時ストッパ５４がボックス部３０のストッパ支持板３９ｂに突き当たるまで移動し、ボックス部３０へ収納され、図１４に示す開扉状態になる。
【００２５】
本実施例では、敷地の出入口の中でも比較的間口の広い敷地に設置された両開きスライド式門扉装置を左右対称として説明しているが、敷地の出入口の比較的間口の狭い敷地に片開きスライド式門扉として設置することもできる。また、一方側の門扉は第１扉と第２扉のスライド式とし、他方側の門扉は第２扉のみのスライド式にすることもできる。
【図面の簡単な説明】
【００２６】
【図１】本発明に係るスライド式門扉装置の実施例の外観を示す平面図である。
【図２】スライド式門扉装置の立面図である。
【図３】スライド式門扉装置の側面図である。
【図４】第１扉先端の拡大図である。
【図５】ボックス部の立断面図である。
【図６】ボックス部の平断面図である。
【図７】ボックス部の側断面図である。
【図８】ボックス部のＡ−Ａ断面図である。
【図９】ボックス部のスライドローラを示す図である。
【図１０】スライドローラ部及び横ぶれ防止ローラ部を示す図である。
【図１１】ボックス部のＢ−Ｂ断面図である。
【図１２】ボックス部の横ぶれ防止ローラを示す図である。
【図１３】ボックス部のＣ矢視による側面図である。
【図１４】スライド式門扉装置の全開状態を示す図である。
【符号の説明】
【００２７】
１    両開きスライド式門扉
１０  第１扉
１１  下フレーム
１２  上フレーム
１３  垂直フレーム
１４  格子フレーム
２０  第２扉
３０  ボックス部
３１  スライドローラ部
３３  横ぶれ防止ローラ部
４０  安定ローラ
４１  落棒
４２  取手
４３  飲み込み案内
５０  開時ストッパ
５２  閉時ストッパ
【図１】
2006028847.tif 000003
【図２】
2006028847.tif 000004
【図３】
2006028847.tif 000005
【図４】
2006028847.tif 000006
【図５】
2006028847.tif 000007
【図６】
2006028847.tif 000008
【図７】
2006028847.tif 000009
【図８】
2006028847.tif 000010
【図９】
2006028847.tif 000011
【図１０】
2006028847.tif 000012
【図１１】
2006028847.tif 000013
【図１２】
2006028847.tif 000014
【図１３】
2006028847.tif 000015
【図１４】
2006028847.tif 000016